(57)【要約】
【課題】ガラス破壊実験装置は、従来ステンレス製であったが重量が重く、扱いにくい欠点があった。また実験の際の衝撃により、ステンレス材が変形して装着したガラスに部分応力がかかり、テスト結果に悪い影響を与える可能性があった。箱本体と蓋を押さえて固定する取り付け金具も実験の際の衝撃により、変形し故障を起こす可能性があった。
【解決手段】  破壊実験装置の箱と蓋をＦＲＰで構成し、蓋を押さえるマジックテープを取り付ける。
【選択図】    図１
0003101372.tif 000002
【実用新案登録請求の範囲】
【請求項１】
ＦＲＰ樹脂により、箱本体及びガラスを押さえる蓋を構成し、箱本体と蓋に蓋を押さえて取り付けるマジックテープを取り付けたガラス破壊実験装置
【考案の詳細な説明】
【考案の詳細な説明】
【技術分野】
【０００１】本考案はガラス破壊実験装置に関するものである。
【背景技術】
【０００２】  近年、防犯対策の必要性から、ガラスをハンマーで破壊し、テストする装置が広く使用されるに至っている。従来のガラス破壊実験装置はステンレス製の箱本体と蓋によって構成され、箱本体と蓋は取り付け金具によって押さえて取り付ける構造であった。
【考案の開示】
【考案が解決しようとする課題】
【０００３】  従来のステンレス製のガラス破壊実験装置は重量が重く、ステンレスの板材が衝撃で変形し、蓋の開閉が出来にくくなったり、セットするガラスに部分応力がかかって、実験の精度を悪くする可能性があった。箱本体と蓋を押さえる取り付け金具は衝撃によって変形し、故障が発生する可能性があった。またガラスの破片が箱の底に溜まり、除去する際に怪我をする可能性があった。
【課題を解決するための手段】
【０００４】  本考案はこの従来の欠点を除去するため、箱の材質にＦＲＰを採用し、更に箱本体と蓋を押さえて取り付けるためにマジックテープを採用した。箱の底には破片を排出する扉を設けた。
【考案の効果】
【０００５】  本考案は以上のような構成であるので、従来のステンレス製の箱の重量が５．５ＫＧであったが、３．２ＫＧに軽量化でき、携行が容易になった。ＦＲＰは実験の際の衝撃に対して変形が起きにくく、セットしたガラスに部分応力がかからないので実験の精度を保持出来る。マジックテープによって箱本体と蓋を押さえて取り付ける構成としたため、衝撃によって取り付け金具が変形する危惧が無くなった。箱の下部に扉を取り付けて、ガラスの破砕屑を容易に除去でき、取り扱いの際に怪我をする可能性が少なくなった。またＦＲＰ製の箱は型で切断位置をセットした位置で切断するため、仕上がり寸法精度の維持が容易である。
【考案を実施するための最良の形態】
【０００６】  本考案の実施例について、図面により説明する。図１は本考案の一実施例の構成を示す斜視図である。実験装置１はＦＲＰの材質による箱本体１−１とＦＲＰの材質による蓋１−２によって構成し、実験用のガラス２を間に挟んで実験する。箱本体１−１には緩衝部１−１−Ａ及び緩衝部１−１−Ｃを取り付け、蓋１−２を押さえて固定する為のマジックテープ１−１−Ｂを取り付ける。蓋１−２にも緩衝部１−２−Ａを内側に取り付け、マジックテープ１−２−Ｂを外側に取り付ける。箱本体１−１の下部に、ＦＲＰの材質による扉１−１−Ｄを取り付ける。図２は図１の構成を組み立てて、実験の準備を完了した状態を示す斜視図である。実験用のガラス２を間に挟んでマジックテープ１−１−Ｂとマジックテープ１−２−Ｂにより、蓋１−２を押さえて固定し、取り付ける。本考案の箱本体１−１の製造工程は次の通りである。
（１）箱の形状、寸法の型の内部に剥離材を塗布する。
（２）箱本体の表面に仕上げ材を塗布する。希望色に着色が可能である。
（３）乾燥
（４）ガラス繊維に樹脂硬化剤を含ませ、手作業ローラーにより、脱気泡を注意深く実施する。
（５）乾燥
（６）型抜き
（７）型でリセットした位置で寸法切断
（８）バリ取り加工
（９）緩衝材取り付け
（１０）マジックテープ取り付け
（１１）破壊ガラス吐き出し用に使用する扉の加工
（１２）検査
ガラス繊維の仕様はチョップドストランドマットの番手４５０＃である。強度の必要な蓋１−２の表面はガラス繊維を４枚使用し、蓋１−２の側板、箱本体はガラス繊維を３枚使用している。型でセットした位置を寸法切断をする為、仕上がり寸法精度の保持が容易である。ステンレス製の箱は曲げ加工、溶接加工が入るために仕上げ寸法を出すことが難しい。
【図面の簡単な説明】
【０００７】
【図１】本考案の一実施例の構成を示す斜視図である。
【図２】本考案の一実施例により実験の凖備を完了した状態を示す斜視図である。
【符合の説明】
【０００８】  １：実験装置
１−１：箱本体
１−１−Ａ：緩衝部
１−１−Ｂ：マジックテープ
１−１−Ｃ：緩衝部
１−１−Ｄ：扉
１−２：蓋
１−２−Ａ：緩衝部
１−２−Ｂ：マジックテープ
２：ガラス
【図１】
0003101372.tif 000003
【図２】
0003101372.tif 000004
【手続補正書】
【提出日】平成15年12月4日(2003.12.4)
【手続補正１】
【補正対象書類名】実用新案登録請求の範囲
【補正対象項目名】全文
【補正方法】変更
【補正の内容】
【実用新案登録請求の範囲】
【請求項１】
ＦＲＰ樹脂により、箱本体及びガラスを押さえる蓋を構成し、箱本体と蓋に蓋を押さえて取り付ける面状ファスナーを取り付けたガラス破壊実験装置
【手続補正２】
【補正対象書類名】明細書
【補正対象項目名】全文
【補正方法】変更
【補正の内容】
【考案の詳細な説明】
【考案の詳細な説明】
【技術分野】
【０００１】本考案はガラス破壊実験装置に関するものである。
【背景技術】
【０００２】  近年、防犯対策の必要性から、ガラスをハンマーで破壊し、テストする装置が広く使用されるに至っている。従来のガラス破壊実験装置はステンレス製の箱本体と蓋によって構成され、箱本体と蓋は取り付け金具によって押さえて取り付ける構造であった。
【考案の開示】
【考案が解決しようとする課題】
【０００３】  従来のステンレス製のガラス破壊実験装置は重量が重く、ステンレスの板材が衝撃で変形し、蓋の開閉が出来にくくなったり、セットするガラスに部分応力がかかって、実験の精度を悪くする可能性があった。箱本体と蓋を押さえる取り付け金具は衝撃によって変形し、故障が発生する可能性があった。またガラスの破片が箱の底に溜まり、除去する際に怪我をする可能性があった。
【課題を解決するための手段】
【０００４】  本考案はこの従来の欠点を除去するため、箱の材質にＦＲＰを採用し、更に箱本体と蓋を押さえて取り付けるために登録商標マジックテープの名称で呼称されている面状ファスナーを採用した。箱の底には破片を排出する扉を設けた。
【考案の効果】
【０００５】  本考案は以上のような構成であるので、従来のステンレス製の箱の重量が５．５ＫＧであったが、３．２ＫＧに軽量化でき、携行が容易になった。ＦＲＰは実験の際の衝撃に対して変形が起きにくく、セットしたガラスに部分応力がかからないので実験の精度を保持出来る。面状ファスナーによって箱本体と蓋を押さえて取り付ける構成としたため、衝撃によって取り付け金具が変形する危惧が無くなった。箱の下部に扉を取り付けて、ガラスの破砕屑を容易に除去でき、取り扱いの際に怪我をする可能性が少なくなった。またＦＲＰ製の箱は型で切断位置をセットした位置で切断するため、仕上がり寸法精度の維持が容易である。
【考案を実施するための最良の形態】
【０００６】  本考案の実施例について、図面により説明する。図１は本考案の一実施例の構成を示す斜視図である。実験装置１はＦＲＰの材質による箱本体１−１とＦＲＰの材質による蓋１−２によって構成し、実験用のガラス２を間に挟んで実験する。箱本体１−１には緩衝部１−１−Ａ及び緩衝部１−１−Ｃを取り付け、蓋１−２を押さえて固定する為の面状ファスナー１−１−Ｂを取り付ける。蓋１−２にも緩衝部１−２−Ａを内側に取り付け、面状ファスナー１−２−Ｂを外側に取り付ける。箱本体１−１の下部に、ＦＲＰの材質による扉１−１−Ｄを取り付ける。図２は図１の構成を組み立てて、実験の準備を完了した状態を示す斜視図である。実験用のガラス２を間に挟んで面状ファスナー１−１−Ｂと面状ファスナー１−２−Ｂにより、蓋１−２を押さえて固定し、取り付ける。本考案の箱本体１−１の製造工程は次の通りである。
（１）箱の形状、寸法の型の内部に剥離材を塗布する。
（２）箱本体の表面に仕上げ材を塗布する。希望色に着色が可能である。
（３）乾燥
（４）ガラス繊維に樹脂硬化剤を含ませ、手作業ローラーにより、脱気泡を注意深く実施する。
（５）乾燥
（６）型抜き
（７）型でリセットした位置で寸法切断
（８）バリ取り加工
（９）緩衝材取り付け
（１０）面状ファスナー取り付け
（１１）破壊ガラス吐き出し用に使用する扉の加工
（１２）検査
ガラス繊維の仕様はチョップドストランドマットの番手４５０＃である。強度の必要な蓋１−２の表面はガラス繊維を４枚使用し、蓋１−２の側板、箱本体はガラス繊維を３枚使用している。型でセットした位置を寸法切断をする為、仕上がり寸法精度の保持が容易である。ステンレス製の箱は曲げ加工、溶接加工が入るために仕上げ寸法を出すことが難しい。
【図面の簡単な説明】
【０００７】
【図１】本考案の一実施例の構成を示す斜視図である。
【図２】本考案の一実施例により実験の準備を完了した状態を示す斜視図である。
【符合の説明】
【０００８】１：実験装置
１−１：箱本体
１−１−Ａ：緩衝部
１−１−Ｂ：面状ファスナー
１−１−Ｃ：緩衝部
１−１−Ｄ：扉
１−２：蓋
１−２−Ａ：緩衝部
１−２−Ｂ：面状ファスナー
２：ガラス